(57)【要約】【課題】停電時の電池バックアップ動作時間をユーザに知らせる事で、急な電池切れの不具合を防止する。【解決手段】通信手段１１により防犯センサなどを警戒動作に設定して外出などする際に、停電時に商用電源手段１４から電池電源手段１５に切替えた際に動作できる時間を残量算出部１７が算出して表示操作手段１２に放置する。この報知により、ユーザは万が一に外出中に停電になった際の動作時間を把握でき、電池を交換して外出するなどの対処行動をとれる。【選択図】  図２
2004246761.tif 000002
【特許請求の範囲】
【請求項１】
商用電源からの電源供給を行う商用電源手段と、電池からの電源供給を行う電源供給部および該電池での動作継続時間を算出する残量算出部を備えた電池電源手段を有する情報システムにおいて、外出時や就寝時などの即座に前記電池の交換が行えない状況に移る際の操作を行う時に前記動作継続時間を報知する情報システム。
【請求項２】
残量算出部が、規定の模擬負荷の印加手段を有し、前記模擬負荷を印加する前後の電圧変化から動作継続時間を算出する請求項１記載の情報システム。
【請求項３】
残量算出部が、該電池が装着されて以後の停電積算時間を保持し、前記停電積算時間により動作継続時間を算出する請求項１記載の情報システム。
【請求項４】
残量算出部が、該電池が装着されて以後の経過時間を保持し、前記経過時間により動作継続時間を算出する請求項１記載の情報システム。
【請求項５】
電池が一次電池であり、残量算出部が予め設定した閾値を下回った場合には電池交換が望ましい旨の報知を行う請求項１記載の情報システム。
【請求項６】
電池が一次電池であり、残量算出部が動作継続時間の減少パターンを学習して前記閾値を下回る日時を予測し、電池交換を予告する旨の報知を行う請求項１記載の情報システム。
【請求項７】
情報システムが、防犯センサなどの端末機器と通信手段を介して接続する通信手段を有した防犯システムであり、外出時や就寝時などの即座に前記電池の交換が行えない状況へ移る際の操作が、前記防犯センサを侵入者などの検知および通報を行う警戒設定とそれを停止する解除設定の切替え操作である請求項１記載の情報システム。
【請求項８】
請求項１〜７のいずれかに記載の情報システムの各手段の動作の少なくとも一部をコンピュータに実行させるためのプログラム。
【発明の詳細な説明】
【０００１】
【発明の属する技術分野】
本発明は、特に、防犯センサを駆動させて外出する際などに、もし停電発生時に電池動作した場合の動作継続時間をユーザに予告報知できる防犯装置などの情報システムに関するものである。
【０００２】
【従来の技術】
近年、家屋侵入による窃盗犯罪の増加に伴い、住居における監視システムの需要が増加している。従来この種の監視システムは、侵入者検知用の複数の防犯センサ機器（端末機器）とその情報を収集し警報や通報を発する中央処理装置との組み合わせであった。この種の監視システムは、ユーザの操作に従って中央処理装置が、防犯センサ機器を動作状態にして侵入者などを検知し通報する「警戒モード」と、家人が在宅している際などの「解除モード」とを切替えたり、外部の運用会社の情報センタに対して侵入者の検知情報などを通信したり、更に外出している家人に電話や電子メールで検知情報通知するといった機能を備えている。
【０００３】
これらは、商業電源の停電の際にもシステムが動作できるようにバックアップ電源を備えるのが一般的である。しかし、近年では停電の頻度が激減しているため、二次電池に代えて、充放電回路やメンテナンス回路が簡易化できうる一次電池を搭載したものも提案されている。こうしたシステムでは、例えば特許文献１のように、電池が所定残量を下回った場合にはブザーなどの報知を行ってユーザに知らせる構成などが採られている。
【０００４】
【特許文献１】
特開２０００―３０１５７号公報
【０００５】
【発明が解決しようとする課題】
しかし、停電の頻度が低いとはいえ、停電などにより容量の低下した電池を交換せずに継続使用している場合には、万が一外出中に長時間の停電が発生した場合には、充分な時間の間継続してバックアップ動作ができない場合がありうる。こうした電池切れの場合には、外出中に電池交換のブザーなどの報知をされても、ユーザは電池交換などの対処をすることができないという課題がある。
【０００６】
本発明は、上記従来の課題を解決するためのもので、外出の際に「警戒モード」に設定して監視システムを動作させる際に、万が一停電の発生により電池によるバックアップ動作に切り替わった場合の動作継続時間の目安を画面表示や音声により報知することで、ユーザが外出時間の長さを判断して電池を新たなものに交換するか現在のままにするかといった判断を行ったり、ユーザが前もって交換用の電池の買い置きできるよう促すといったことを可能としている。
【０００７】
このようにして、万が一にも外出中に停電が発生したような場合にも、充分な期間の動作ができることをユーザが確認でき、より信頼性の高い防犯装置などの情報システムの提供を実現することができるものである。
【０００８】
【課題を解決するための手段】
前記従来の課題を解決するために、本発明の情報システムは、防犯センサなどの端末機器と通信手段を介して接続する通信手段と、商用電源からの電源供給を行う商用電源手段と、電池からの電源供給を行う電源供給部および該電池での動作継続時間を算出する残量算出部を備えた電池電源手段を有する情報システムにおいて、外出時や就寝時などの即座に前記電池の交換が行えない状況に移る際の操作を行う時に前記動作継続時間を報知するようにしている。
【０００９】
以上のような構成とすることにより、外出前などに情報システムを稼動させる際に電池での動作継続時間をユーザが把握できるので、外出時間に合わせて予め電池を交換したりする対処策がとれるため、より信頼性の高い情報システムを提供できるものである。
【００１０】
【発明の実施の形態】
請求項１に記載の発明は、防犯センサなどの端末機器と通信手段を介して接続する通信手段と、商用電源からの電源供給を行う商用電源手段と、電池からの電源供給を行う電源供給部および該電池での動作継続時間を算出する残量算出部を備えた電池電源手段を有する情報システムにおいて、外出時や就寝時などの操作を行う時に前記動作継続時間を報知するようにしている。この構成により、外出前などに情報システムを稼動させる際に電池での動作継続時間をユーザが把握できる。
【００１１】
請求項２に記載の発明は、請求項１の発明に加えて、残量算出部が、規定の模擬負荷の印加手段を有し、前記模擬負荷を印加する前後の電圧変化から動作継続時間を算出するようにしている。この構成により、残量の算出がより正確にできるものである。
【００１２】
請求項３に記載の発明は、請求項１の発明に加えて、残量算出部が、該電池が装着されて以後の停電積算時間を保持し、前記停電積算時間により動作継続時間を算出するようにしている。この構成により、残量の算出のために模擬負荷などに放電する必要がなくなり、電池容量の全く無駄の無い算出ができるものである。
【００１３】
請求項４に記載の発明は、請求項１の発明に加えて、残量算出部が、該電池が装着されて以後の経過時間を保持し、前記経過時間により動作継続時間を算出するようにしている。この構成により、残量の算出がより簡易な構成でできるものである。
【００１４】
請求項５に記載の発明は、請求項１の発明に加えて、電池が一次電池であり、残量算出部が予め設定した閾値を下回った場合には電池交換が望ましい旨の報知を行うようにしている。この構成により、ユーザが電池交換の時期を見落としたりする不都合を低減することができる。
【００１５】
請求項６に記載の発明は、請求項１の発明に加えて、電池が一次電池であり、残量算出部が動作継続時間の減少パターンを学習して前記閾値を下回る日時を予測し、電池交換を予告する旨の報知を行うようにしている。この構成により、ユーザが予め電池などを買いおきするといった準備ができるようにしている。
【００１６】
請求項７に記載の発明は、請求項１の発明に加えて、情報システムが、防犯センサなどの端末機器と通信手段を介して接続する通信手段を有した防犯システムであり、外出時や就寝時などの即座に前記電池の交換が行えない状況への移る際の操作が、前記防犯センサを侵入者などの検知および通報を行う警戒設定とそれを停止する解除設定の切替え操作であるように構成している。この構成により、特に外出中などに該情報システムが停止していた場合にユーザのデメリットが大きい事が予想される防犯システムなどの情報システムの分野において、より信頼性の高い情報システムが構築できるようにしている。
【００１７】
請求項８に記載の発明は、請求項１〜７のいずれかに記載の情報システムおよび各手段の動作をコンピュータに実行させるためのプログラムを提供するものである。従って、プログラムであるので汎用コンピュータや携帯情報端末を用いて本発明の情報機器の一部あるいは全てを容易に実現することができる。また記録媒体に記録したり通信回線を用いてプログラムを配信したりすることでプログラムの配布やインストール作業が簡単にできる。
【００１８】
【実施例】
以下、本発明の実施例について、図面を参照しながら説明する。
【００１９】
（実施例１）
実施例１の情報システムについて図面を参照しながら説明する。図１は本発明における情報システムの一例として、実施例１における中央処理装置および複数の防犯センサ機器（端末機器）から構成されるセキュリティシステム（防犯システムもしくは監視システム）の概略模式図を示すものである。以下に本実施例における構成を説明する。情報システムは、防犯センサ機器の機能を中央処理装置１に付帯させて中央処理装置１のみで構成しても、中央処理装置１に防犯センサ機器などをも含めて情報システムを構成しても構わない。
【００２０】
図１の１は、セキュリティシステムの中央処理装置である。２〜４はセキュリティ用途の端末機器例であり、２は人の動きを赤外線などで検知する人感センサ、３、４は扉や窓の開閉を磁気スイッチなどにより検知する開閉センサである。５はインターネット回線や電話回線などの公衆回線網、８は外出した家人の所有する携帯電話、９は外部の契約会社などが運用しているサーバ等から構成された情報センタである。中央処理装置１は、人感センサ２などから侵入者を検知する旨の電文を受けると、公衆回線網５を介して情報センタ９にその検知情報をアップロードしたり、携帯電話８に電話や電子メールで通報を行う。また、外出先から携帯電話８により宅内のセンサ機器を検知停止の状態から検知を行う稼動状態へ設定切替えするなどの遠隔サービスを行うことができるよう構成する。
【００２１】
図２は、図１における中央処理装置１の内部ブロック図の一例を示しており、１０は中央処理装置２全体を制御する主制御手段、１１は人感センサ２などと通信を行う通信手段、１２はユーザへ情報を表示したり音声で知らせたりといった報知処理やユーザからの操作を受けつける表示操作手段である。１５は電池からの供給を行う電池電源手段であり、電池から電流を供給する電源供給部１８と電池の残量を算出する残量算出部１７を備える。１４は家庭のコンセントなどからの電源供給を行う商用電源手段である。１６は電池電源手段１５と商用電源手段１４からの電源を切替える電源切替手段であり、停電などにより商用電源手段１４からの電源が供給できなくなった場合には、電池供給手段１５からの電源供給に切替える。主制御手段１０はマイコンとその周辺回路およびマイコンのプログラムで構成するが、残量算出部１７やその他の手段の制御プログラムも主制御装置１０を構成するマイコン上で動作するプログラムであってもよい。
【００２２】
通常、人感センサ２や開閉センサ３、４は、中央処理装置１からの「警戒設定」や、警戒をしない状態の「解除設定」などの指示電文を、通信手段１１を介して受けて設定する。「警戒設定」時は、センサが侵入者など人の動きを検出して警報を吹鳴したり中央処理装置１への通報を行う設定状態であり、「解除設定」は、家人が在宅する際に家人自身がセンサに検出されて警報がなることが無い様に警報を吹鳴しないようにする他、センサに電源供給をしないようにして省電力化する設定状態である。
【００２３】
中央処理装置１は、非停電時は商用電源手段１４からの電源供給により動作しているが、停電が発生した場合には主制御手段１０からの制御により、電源切替手段１６が電池電源手段１５に切替えて動作を継続する。図２の電池電源手段１５では、一般的に電力会社の統計データなど参考として停電頻度が低下していることを踏まえ、乾電池などの一次電池で構成している。、一次電池で構成することにより、従来一般的であった二次電池の場合に比べ充放電回路や制御回路を簡易に構成できる商業上のメリットを生み出している。
【００２４】
一次電池は年間の停電時間統計などから停電中に動作を継続するのに充分な算出は充分な容量の電池で構成するが、万が一、地域性や設備停電により高頻度・長時間の停電が発生していた場合には電池容量が低下し、ユーザが交換することなく放置したままの場合には、「警戒設定」で外出中に停電が起こり、すぐさま電池容量が不足して中央処理装置１がダウンするといったケースも起こり得る。
【００２５】
このため、ユーザが「警戒設定」などを行った際には、残量算出部１７が現在装着されている電池での動作継続時間を算出して予測して表示操作手段１２に報知する。この報知により、長時間の外出にはユーザが電池を新しいものに交換すべきといった判断を行うことができる。あるいは「警戒設定」から「解除設定」に切り替えたり、そのほかの動作設定（外出するとき、帰宅したとき、就寝するとき、起床したときなどに行う操作を含む）を行った時に電池での動作継続時間を算出して予測して表示操作手段１２に報知してもよい。
【００２６】
電池の残量計算方法としては、電池残量が低下するほど放電時の電池電圧が低下度合いが大きい傾向がある事を用いて、一時的に電池から放電させて電圧変化を検知する方法がある。放電の方法は、模擬負荷に切替えるか、実際に電源切替手段１６により電池電源手段１５に切替えて中央処理装置１を動作させる方法で行う。特に、この方法では、検知のために僅かながら電池容量を消費するため、常時行わず、「警戒設定」などのタイミングに限定して行うことが効果的である。
【００２７】
また、この他の残量計算方法としては、新規電池の容量から継続動作時間を算出して設定し、電池交換以後の停電積算時間をカウントして保持し、この累積時間を差し引いて残りの継続動作時間を算出することができる。
【００２８】
更に簡易的には、ユーザの居住地域の停電頻度や停電が継続した時間の統計データを基にして電池の交換が必要になる平均的な交換期間を設定し、新規の電池を装着した際での継続動作可能な時間に、電池を装着からの経過時間と前記の交換期間との比率を掛け合わせて現在の動作継続時間の予測値を算出する方法も可能である。
【００２９】
なお、以上の説明に加えて、使い慣れると残量時間を見落としたり、ギリギリまで使おうとする場合も想定されるため、ある予め設定した閾値を下回った場合には、電池交換を行わせる旨の報知を行う方法も効果がある。
【００３０】
また、外出時などに急に電池交換の必要を感じても買い置きがないなどの不都合も考えられるため、残量計算の結果を基に電池交換の日時を推測し買い置きを促すようなサインを報知すれば一層効果的である。電池交換の日時の推測は、ユーザの居住地域の停電頻度や停電が継続した時間の統計データから１日あたりの平均停電時間を算出し、この平均停電時間と日数の掛け合わせが新規電池での動作継続時間を越える日を提示する方法や、ユーザが本発明の情報システムを稼動させて以後の１日あたりの動作継続時間の平均減少時間を学習データとして残量算出部１７などに記憶しておき、この平均減少時間と日数の掛け合わせが新規電池での動作継続時間を越える日を提示する方法などが考えられる。
【００３１】
【発明の効果】
以上のように、本発明の情報システムおよびプログラムは、防犯センサなどの端末機器と通信手段を介して接続する通信手段と、商用電源からの電源供給を行う商用電源手段と、電池からの電源供給を行う電源供給部および該電池での動作継続時間を算出する残量算出部を備えた電池電源手段を有する情報システムにおいて、外出時や就寝時などの操作を行う時に前記動作継続時間を報知するようにしている。
【００３２】
以上のような構成とすることにより、外出前などに情報システムを稼動させる際に電池での動作継続時間をユーザが把握できるので、外出時間に合わせて予め電池を交換したりする対処策がとれるため、より信頼性の高い情報システムを提供できるものである。
【図面の簡単な説明】
【図１】本発明の実施例１におけるセキュリティシステムの構成図
【図２】本発明の実施例１における中央処理装置の機能ブロック図
【符号の説明】
１  中央処理装置
２  人感センサ（端末機器）
３  開閉センサ（端末機器）
４  開閉センサ（端末機器）
５  公衆回線網
８  携帯電話
９  情報センタ
１０  主制御手段
１１  通信手段
１２  表示操作手段
１４  商用電源手段
１５  電池電源手段
１６  電源切替手段
１７  残量算出部
【図１】
2004246761.tif 000003
【図２】
2004246761.tif 000004